(57)【特許請求の範囲】
【請求項１】
液晶パネルと、
この液晶パネルの背面に沿って配置される導光体と、
この導光体を通じて前記液晶パネルを照明する光源と、
前記導光体の前方に前記液晶パネルが位置するように前記導光体及び前記液晶パネルを支持する合成樹脂からなるホルダとを備え、
前記導光体には第１の孔部が設けられ、
前記ホルダには第２の孔部が設けられ、
これら第１，第２の孔部を通じて前記導光体を前記ホルダにネジ止めしてなる自動車またはオートバイに組み込まれる表示装置において、
前記液晶パネルは表示画面を形成する第１の領域とこの第１の領域の外周領域を形成する第２の領域とでなり、
前記液晶パネルの表示面に対して垂直方向に、かつ前記第２の領域内で前記導光体が前記ホルダにネジ止めされるように前記液晶パネルを正面視したとき前記第１，第２の孔部を前記第２の領域の投影範囲内に設けたことを特徴とする表示装置。
【請求項２】
前記導光体が前記第１の孔の周囲に前記ネジの頭部を収容する凹部を備えることを特徴とする請求項１記載の表示装置。
【請求項３】
前記導光体が前記ホルダに位置決めされる位置決め部を有し、この位置決め部が前記液晶パネルを正面視したとき前記第２の領域の投影範囲内に設けられることを特徴とする請求項１もしくは請求項２記載の表示装置。
【発明の詳細な説明】
【技術分野】
【０００１】
本発明は、例えば自動車やオートバイの計器装置に適用するに好適な表示装置に関し、特に液晶パネルを導光板を通じて照明するタイプの表示装置に関する。
【背景技術】
【０００２】
この種の表示装置として例えば下記特許文献１に記載されたものが知られている。この表示装置は、回路基板と、光源と、ホルダと、導光体と、液晶パネルと、前面パネルとで構成され、回路基板上に配置されたケースで導光体と液晶パネルを収容保持すると共に光源の光を導光体を通じて液晶パネルに導いて当該液晶パネルを照明する構成である。この際、導光体には係合フックが形成され、この係合フックをホルダに係止することにより、導光体がホルダに固定されている。また前面パネルには液晶パネルを透視可能な窓部が形成されている。
【先行技術文献】
【特許文献】
【０００３】
【特許文献１】特開２００４−３２５３１２号公報（図１）
【発明の開示】
【発明が解決しようとする課題】
【０００４】
しかしながら、前記特許文献１に記載の表示装置は、導光体をホルダにフック固定しているため、例えばオートバイに搭載する場合のように、振動雰囲気中で使用される場合には、フックの破損や部品どうしの擦れによる粉ふきが懸念される。この点を考慮して導光体をネジ止めすることが考えられるが、液晶パネルの周囲にビス止め箇所が必要となることから装置全体の大型化が懸念される。
【０００５】
そこで、本発明は前述した問題点に着目し、耐震性を向上しながらも小型化を達成することができる表示装置を提供することを目的とする。
【課題を解決するための手段】
【０００６】
本発明は、液晶パネルと、この液晶パネルの背面に沿って配置される導光体と、この導光体を通じて前記液晶パネルを照明する光源と、前記導光体の前方に前記液晶パネルが位置するように前記導光体及び前記液晶パネルを支持する合成樹脂からなるホルダとを備え、前記導光体には第１の孔部が設けられ、前記ホルダには第２の孔部が設けられ、これら第１，第２の孔部を通じて前記導光体を前記ホルダにネジ止めしてなる自動車またはオートバイに組み込まれる表示装置において、前記液晶パネルは表示画面を形成する第１の領域とこの第１の領域の外周領域を形成する第２の領域とでなり、前記液晶パネルの表示面に対して垂直方向に、かつ前記第２の領域内で前記導光体が前記ホルダにネジ止めされるように前記液晶パネルを正面視したとき前記第１，第２の孔部を前記第２の領域の投影範囲内に設けたことを特徴とする。
このように構成することにより、液晶パネルの投影範囲で導光体をホルダにネジ止めすることができるため、耐震性を向上しながらも小型化を達成することができる。
【０００７】
また本発明は、前記導光体が前記第１の孔の周囲に前記ネジの頭部を収容する凹部を備えることを特徴とする。
このように構成することにより、ネジの頭部を導光体の凹部に収容できるので、その分、装置全体を薄型化することができる。
【０００８】
また本発明は、前記導光体が前記ホルダに位置決めされる位置決め部を有し、この位置決め部が前記液晶パネルを正面視したとき前記第２の領域の投影範囲内に設けられることを特徴とする。
このように構成することにより、第２の領域の投影範囲内で導光体を位置決めでき、小型化に有利となる。
【発明の効果】
【０００９】
本発明によれば、耐震性を向上しながらも小型化を達成することができる表示装置を提供することができる。
【図面の簡単な説明】
【００１０】
【図１】本発明の一実施形態による表示装置の正面図。
【図２】図１の要部正面図で前面パネルを除いた図。
【図３】図２のＡ−Ａ断面図（ハッチング省略）。
【図４】図２のＢ−Ｂ断面図（ハッチング省略）。
【図５】図２において液晶パネルを除いた正面図。
【発明を実施するための形態】
【００１１】
図１〜図５に基づいて本発明の一実施形態を説明する。図１において表示装置１は、例えばタコメータ２と組み合わされた計器装置としてオートバイに組み込まれ、タコメータ２と前面パネル３、ケースＣ（後述するホルダ）、回路基板Ｐを共有するものである。
【００１２】
タコメータ２は、指針２１と図示しないステッピングモータからなる駆動本体を備え、駆動本体によって前面パネル３上を軸回り回転し、オートバイのエンジン回転数を指針２１にて示すものである。前面パネル３には指針２１に対応した目盛、数字等の指標部３１が形成されている。
【００１３】
表示装置１は、例えばオートバイのスピード等の情報を後述する液晶パネルにデジタル表示するもので、前記液晶パネルに対応する前面パネル３箇所には、開口または透明部からなる透視部３２が形成されている。
【００１４】
なお前面パネル３は、例えば透明な合成樹脂板にスクリーン印刷を施した周知な印刷パネルからなり、指標部３１以外は黒色に設定されている。
【００１５】
次に表示装置１の詳細構造を説明する。
表示装置１は、液晶パネル４と、導光体５と、光源６と、ケースＣから一体形成されたホルダ７とから構成されている。
【００１６】
液晶パネル４は、液晶分子を封入した一対のガラス基板に偏光板を貼り付けてなるセグメントまたはトッドマトリックス型の液晶素子であり、図２に示すように、スピード等の情報表示を行うための画素やその背景からなる表示画面を形成する第１の領域Ｒ１（図２中、点線にて囲んだ中央領域参照）と、この第１の領域Ｒ１の外周領域となり情報表示は行わない縁部を形成する第２の領域Ｒ２とを備えている。
【００１７】
導光体５は、例えば透光性合成樹脂からなり、液晶パネル４の背面に沿って配置されている。この導光体５は、図３に示すように、液晶パネル５の背面に沿った矩形状の導光部５１と、この導光板部５１の一端からＬ字形に屈曲して光源６側に延びる光導入部５２とでなる。
【００１８】
導光部５１には、ネジ８に対応した第１の孔部５１１，５１２が形成され、第１の孔部５１１はタコメータ２側に突出するＣ字状の突出片５３の中央部に形成され（図２，５参照）、もう一方の第１の孔部５１２は、第１の孔部５１１の対角線上に位置する角部に形成されている（図２，３，５参照）。また第１の孔部５１２の周囲には、ネジ８の頭部８１を収容する凹部５４が形成されている。
【００１９】
更に導光部５１の縁部には、ホルダ７（背後）側に突出する位置決め部５５が三つ形成され（図２，４参照）、ホルダ７の後述する位置決め孔に挿入されることで、ホルダ７に位置決めされている。
【００２０】
光導入部５２は、光源６に対向する側に受光部５２１が、導光部５１に連なる側に反射部５２２がそれぞれ形成されている。
【００２１】
受光部５２１は、光源６側に突出する集光面として形成され、反射部５２２は受光部５２１から入光した光を導光部５１側に反射する平面もしくは曲面として形成されている。なおこの反射部５２２の外表面と導光部５１の背面にはシボが形成され、このシボによって反射光の調整、制御を行い、照明ムラの低減を図っている。
【００２２】
光源６は、例えば発光ダイオードからなり、受光部５２１に対向する回路基板５箇所に複数個（４個）、等間隔に配置されている。
【００２３】
ホルダ７は、例えば乳白色の合成樹脂からなるケースＣから連続形成されており、導光部５１を収納する底部７１と側壁部７２とでなる第１の収納部７３と、液晶パネル４を収納する底部７４と側壁部７５とでなる第３の収納部７６と、光導入部５１を収納する第４の収納部７７とを備えている（図５参照）。
【００２４】
底部７１には、導光部５１の位置決め部５５に対応する位置決め孔７１１，７１２，７１３と、ネジ８に対応する第２の孔部７１４とが形成されている。
【００２５】
位置決め孔７１１，７１２，７１３のうち、位置決め孔７１１は位置決め部５５の形状に対応した丸孔に形成され、位置決め孔７１２，７１３は位置決め孔７１１に向けて延びる長孔に形成されている（図４参照）。
【００２６】
第２の孔部７１４は、ネジを挿入可能なネジ孔として第１の孔部５１１に合致する位置に形成されている（図３参照）。
【００２７】
側壁部７５には内側に向けて部分的に突出して液晶パネル４の前方への移動を規制する一対の規制部７５１が形成されると共に、これら規制部７５１に対向するホルダ７箇所には、弾性を有する係合フック７５２が形成され（図２，４参照）、この係合フック７５２を液晶パネル４に係合することにより、液晶パネル４を保持するようにしている。
【００２８】
次に導光体５と液晶パネル４のホルダ７に対する組付けを説明する。
【００２９】
まず導光体５をホルダ７の第１の収納部７３に収納し、位置決め部５５を各位置決め孔７１１〜７１３に位置決めする。次に第１の孔部５１１，５１２と対応する第２の孔部７１４とを通じてネジ８にて固定する。これにより導光体５は、ホルダ７に強固に固定される。
【００３０】
液晶パネル４は、ホルダ７の第２の収納部７６に収納し、規制部７５１によって液晶パネル４の一辺を位置規制しながら、係合フック７５２を液晶パネル４に係合することにより、液晶パネル４がホルダ７に保持される。
【００３１】
以上のように本実施形態では、液晶パネル４と、この液晶パネル４の背面に沿って配置される導光体５と、この導光体５を通じて液晶パネル４を照明する光源６と、導光体５の前方液晶パネル４が位置するように導光体５及び液晶パネル４を支持するホルダ７とを備え、導光体５には第１の孔部５１１，５１２が設けられ、ホルダ７には第２の孔部７１４が設けられ、これら第１，第２の孔部５１１，５１２，７１４を通じて導光体５をホルダ７にネジ止めしてなる表示装置において、液晶パネル４が表示画面を形成する第１の領域Ｒ１とこの第１の領域Ｒ１の外周領域を形成する第２の領域Ｒ２とでなり、この第２の領域Ｒ２内で導光体５がホルダ７にネジ止めされるように液晶パネル４を正面視したとき第１，第２の孔部５１２，７１４を第２の領域Ｒ２の投影範囲内に設けたことにより（図２参照）、液晶パネル４の投影範囲で導光体を５ホルダにネジ止めすることができるため、耐震性を向上しながらも小型化を達成することができる。
すなわち、導光体５のホルダ７へのネジ止め箇所を第２の領域Ｒ２の投影範囲内に設定することにより、ネジ止め箇所が液晶パネル４の投影範囲内に収まり、外部への突出が抑えられるため、耐震性を向上させるべくネジによって固定する場合でも小型化を達成することができる。
【００３２】
また本実施形態では、導光体５が第１の孔５１２の周囲にネジ８の頭部８１を収容する凹部５４を備えることにより、ネジ８の頭部８１を導光体５の凹部５４に収容できるので、その分、装置全体を薄型化することができる。
【００３３】
また本実施形態では、導光体５がホルダ７に位置決めされる位置決め部５５を有し、この位置決め部５５が液晶パネル４を正面視したとき第２の領域Ｒ２の投影範囲内に設けられることにより、第２の領域Ｒ２の投影範囲内で導光体５を位置決めでき、小型化に有利となる。
【００３４】
なお本実施形態では、導光体５の第１の孔部５１２側のみ第２の領域Ｒ２の投影範囲内に設けたが、第１の孔部５１１側も第２の領域Ｒ２の投影範囲内に設けることができる。
【符号の説明】
【００３５】
１  表示装置
２  タコメータ
３  前面パネル
４  液晶パネル
５  導光体
６  光源
７  ホルダ
８  ネジ
２１  指針
３１  指標部
３２  透視部
５１  導光部
５２  光導入部
５３  突出片
５４  凹部
５５  位置決め部
７１  底部
７２  側壁部
７３  第１の収納部
７４  底部
７５  側壁部
７６  第３の収納部
７７  第４の収納部
８１  頭部
５１１，５１２  第１の孔部
５２１  受光部
５２２  反射部
７１１，７１２，７１３  位置決め孔
７１４  第２の孔部
７５１  規制部
７５２  係合フック
Ｃ  ケース
Ｐ  回路基板
Ｒ１  第１の領域
Ｒ２  第２の領域
【図１】
0005577995.tif 000002
【図２】
0005577995.tif 000003
【図３】
0005577995.tif 000004
【図４】
0005577995.tif 000005
【図５】
0005577995.tif 000006